(57)【要約】【課題】ホールインワンの達成を認証可能なシステムを提供すること。【解決手段】ティーグラウンド２２及びグリーン２５を撮影可能な第１及び第２監視カメラ２ａ，２ｂと、第１及び第２監視カメラ２ａ，２ｂで撮影した映像を記録する録画手段と、ティーグラウンド２２にゴルファーが進入したことを検知する検知手段３と、検知手段３の検知結果に基づいて第１及び第２監視カメラ２ａ，２ｂ及び録画手段を作動させる制御手段とを備え、ホールインワンの達成場面を撮影した映像でもって当該ホールインワンを認証するようにした。【選択図】　図１
2004046648.tif 000002
【特許請求の範囲】
【請求項１】
所定のゴルフコースの少なくともティーグラウンド及びグリーンを撮影可能な監視カメラと、前記監視カメラで撮影した映像を記録する録画手段と、前記ゴルフホールのティーグラウンドにゴルファーが進入したことを検知する検知手段と、前記検知手段の検知結果に基づいて前記監視カメラ及び録画手段を作動させる制御手段とを備えたホールインワン認証システム。
【請求項２】
前記監視カメラとして、ティーグラウンドを視界に持つ第１監視カメラと、グリーンを視界に持つ第２監視カメラとを備え、前記第１及び第２監視カメラの作動を互いに同期させる同期手段を備えている請求項１に記載のホールインワン認証システム。
【請求項３】
前記検知手段が、ゴルファーの所持する識別情報格納デバイスを検知することにより、ティーグラウンドへのゴルファーの進入を検知する請求項１又は２に記載のホールインワン認証システム。
【請求項４】
ゴルファーの指紋、掌紋、顔貌、声紋、虹彩、ＤＮＡのうち少なくともいずれか１つを認識するゴルファー識別手段を備え、前記ゴルファー識別手段でもってゴルファーの本人確認を行なえるようにした請求項１〜３のいずれかに記載のホールインワン認証システム。
【発明の詳細な説明】
【０００１】
【発明の属する技術分野】
本発明は、ゴルフコースにおいてゴルファーが達成したホールインワンを認証するためのシステムに関するものである。
【０００２】
【従来の技術】
従来、ホールインワンの達成は、達成者と共にラウンドした他のゴルファーやキャディによって証明されていた。
【０００３】
【発明が解決しようとする課題】
一般に、ホールインワンを達成すると、当該達成者が祝賀会を催したり、記念品を贈ったりするという慣習がある。このような慣習により、当該達成者は、高額な費用を負担しなければならないので、その費用を賄うために保険会社から保険商品が販売されている。保険会社の多くは、例えば、ゴルフ場所属のキャディを使用して１名以上の同伴ゴルファーとラウンドすること並びに同伴ゴルファー及びキャディの証明書を提出することを条件に、保険料を支払う旨の規約を定めている。
【０００４】
しかし、近年では、セルフプレーの傾向が多く見受けられ、上記の条件を満たしていないために、ホールインワンを達成しても保険料を受け取れないケースが問題になっていた。また、自然人による証明では、不正行為の有無を確認することが困難であるために、保険金詐欺などの犯罪が起こり得るという問題もあった。
【０００５】
本発明は、かかる問題に鑑み創案するに至ったものであって、その目的は、ゴルファーが達成したホールインワンをその達成シーンを記録した映像でもって認証するシステムを提供することにある。
【０００６】
【課題を解決するための手段】
本発明の請求項１に記載のホールインワン認証システムは、ゴルフコースの少なくともティーグラウンド及びグリーンを撮影可能な監視カメラと、前記監視カメラで撮影した映像を記録する録画手段と、前記ゴルフコースのティーグラウンドにゴルファーが進入したことを検知する検知手段と、前記検知手段の検知結果に基づいて前記監視カメラ及び録画手段を作動させる制御手段とを備えたことを特徴としている。すなわち、本発明の上記構成によれば、ゴルファーがティーグラウンドに進入すると、監視カメラ及び録画手段が自動的に作動して、当該ゴルファーのティーショット及びティーショットでのカップインを撮影すると共に当該映像を記録するようになっているので、当該映像でもってゴルファーのホールインワンを認証することができる。
【０００７】
請求項２に記載のホールインワン認証システムは、前記監視カメラとして、ティーグラウンドを視界に持つ第１監視カメラと、グリーンを視界に持つ第２監視カメラとを備え、前記第１及び第２監視カメラの作動を互いに同期させる同期手段を備えたことを特徴としている。すなわち、ティーグラウンド及びグリーンを別々の監視カメラで撮影することで、ティーショット及びティーショットでのカップインを確実かつ明確に撮影することが可能になる。さらに、各監視カメラの作動を同期させることで、ティーショットからカップインまでの所要時間を割り出すことができる。なお、当該所要時間は、管理者がホールインワンの達成に関して不正行為の有無を判断するのに使用することができる。
【０００８】
本発明の請求項３に係るホールインワン認証システムは、前記検知手段が、ゴルファーの所持する識別情報格納デバイスを検知することにより、ティーグラウンドへのゴルファーの進入を検知するようにしたことを特徴とする。請求項１でいう「検知手段」は、例えば赤外線センサ、重量センサ、熱感知センサなどを含む。ただし、これらのセンサを使用した場合、当該ゴルフ場でプレーする全てのゴルファーを撮影することになる上、センサが小動物に反応することも想定できるから、本システムの維持費が嵩高くなり、非経済的になってしまうおそれがある。そこで、検知手段として、識別情報格納デバイスを検知するものを使用すると、識別情報格納デバイスを所持する特定のゴルファーがプレーするときのみ、監視カメラ及び録画手段を作動させることができ、本システムの維持費を低減させることができる。なお、請求項３でいう「識別情報格納デバイス」及び「検知手段」は、特定の物品及び該物品を検知する手段であって、具体的には、高速道路料金自動徴収システム（ＥＴＣ）の電波送受信装置や、万引防止システムのタグ及びタグ検知用パネルなどを利用することができる。
【０００９】
本発明の請求項４に係るホールインワン認証システムは、ゴルファーの指紋、掌紋、顔貌、声紋、虹彩、ＤＮＡのうち少なくともいずれか１つを認識するゴルファー識別手段を備え、前記ゴルファー識別手段でもってゴルファーの本人確認を行なえるようにしたことを特徴とする。このように、指紋、掌紋、顔貌、声紋、虹彩、ＤＮＡ、その他個人特有の生体的特徴で本人確認を行なうと、ホールインワンを達成したゴルファーを特定することができる。
【００１０】
【発明の実施の形態】
以下、図面を参照しつつ本発明に係るホールインワン認証システムの実施形態について説明する。
【００１１】
【第１実施形態】
図１は、ゴルフ場のショートホール２１を例示する平面図で、図２は、本発明のホールインワン認証システム１を例示するブロック図である。図１において、２ａは第１監視カメラ、２ｂは第２監視カメラ、３は検知手段、２２はティーグラウンド、２３はフェアウェイ及びラフ、２４はバンカー、２５はグリーン、２６はカップである。
【００１２】
ホールインワン認証システム１は、図１のように、ティーグラウンド２２の近傍に設置されティーショットを行なうゴルファーを撮影する第１監視カメラ２ａと、グリーン２５近傍に設置されゴルフボールがカップインするシーンを撮影する第２監視カメラ２ｂと、ゴルファーがティーグラウンド２２に進入したことを検知する検知手段３とを備え、検知手段３の検知結果に基づいて第１及び第２監視カメラ２ａ，２ｂを所定期間（例えば５分間）作動させてホールインワンの達成シーンを撮影するシステムである。
【００１３】
第１又は第２監視カメラ２ａ，２ｂは、少なくともティーグラウンド２２又はグリーン２５を視界に持っており、ティーグラウンド２２及びグリーン２５の両方を視界に含むようにしてもよい。また、第１及び第２監視カメラ２ａ，２ｂは、夫々１台に限らず複数台ずつ設置してもよい。
【００１４】
検知手段３は、ティーグラウンド２２から来る赤外線の変化を検知する赤外線センサ、ティーグラウンド２２上の重量変化を検知する重量センサ、ティーグラウンド２２上の熱変化を検知する熱感知センサを使用することができる。
【００１５】
次に、図２を参照しつつ第１実施形態に係るホールインワン認証システムの制御系について説明する。
【００１６】
図２において、４はコンピュータで、制御手段５、同期手段６及び録画手段７を備えている。コンピュータ４は、例えばゴルフ場のフロントなどに設置され、第１及び第２監視カメラ２ａ，２ｂ並びに検知手段３と電気通信回線を介して接続されている。
【００１７】
制御手段５は、検知手段３の検知結果に基づいて第１及び第２監視カメラ２ａ，２ｂの作動開始信号を同期手段６に送信すると共に録画手段７に作動開始信号を送信する。なお、第１及び第２監視カメラ２ａ，２ｂ並びに録画手段７は、制御手段５からの作動開始信号に基づいて所定期間（例えば５分間）作動したのち自動的に停止するようになっている。
【００１８】
同期手段６は、制御手段５から第１及び第２監視カメラ２ａ，２ｂの作動開始信号を受信すると、第１及び第２監視カメラ２ａ，２ｂを同期して作動させるように構成されている。
【００１９】
録画手段７は、コンピュータ４に内蔵された記憶媒体としてのハードディスク及び該ハードディスクに映像を録画する録画ソフト並びに該録画ソフトの動作環境で構成され、第１及び第２監視カメラ２ａ，２ｂで撮影した映像を撮影日時と関連付けて記録するようになっている。また、図示は省略するが、コンピュータ４に接続したモニタやプロジェクタなどの出力手段、コンピュータ４に内蔵された書込み手段又は電気通信回線を用いて、録画手段７が記録した映像の再生、コピー又は他のコンピュータへの伝送が可能になっている。
【００２０】
第１実施形態に係るホールインワン認証システムは、上記の如く構成され、ゴルファーがティーグラウンド２２に進入すると、第１及び第２監視カメラ２ａ，２ｂが自動的に作動して当該ゴルファーのティーショット及びグリーン２５上を同時に撮影し、かつ、録画手段７が当該映像を記録するようになっている。これにより、当事者はもちろん第三者であっても当該映像に基づいてティーショットの打撃方向及びグリーン２５へのゴルフボールの飛来方向並びにティーショットからカップインまでに要した時間を確認することができるから、ホールインワンの達成を認証することができる。
【００２１】
【第２実施形態】
次に、図１、図３及び図４を参照しつつ本発明に係るホールインワン認証システム１の第２実施形態について説明する。第２実施形態では、特定のゴルファーについてホールインワンの認証を行なうように構成した点と、ホールインワンの達成者の本人確認を行なうように構成した点とが第１実施形態との主たる相違点になっている。
【００２２】
このホールインワン認証システム１は、図１及び図３のように、第１及び第２監視カメラ２ａ，２ｂ、検知手段３、制御手段５、同期手段６並びに録画手段７のほか、カップインを検知するカップイン検知手段８及びゴルファー識別手段としての顔貌識別手段９を備えている。
【００２３】
また、図３において、１０は識別情報格納デバイスで、いわゆる万引防止システムにおけるタグ（商品に取り付ける識別素子）のように、所定の電磁波を受信することに基づいて応答信号を発信するようになっている。一方、検知手段３は、例えば図４（Ａ）（Ｂ）のように、ティーグラウンド２２の地下に埋設したパネル状の電磁波送受信機であって、所定の電磁波を発信して識別情報格納デバイス１０からの応答信号を検知するようになっている。これにより、識別情報格納デバイス１０を所持した特定のゴルファーがティーグラウンド２２に進入したことを検知することができる。また、この検知手段３及び識別情報格納デバイス１０としては、万引防止システムのほか、高速道路料金自動徴収システムで利用されている電磁波送受信機なども使用することができる。なお、識別情報格納デバイス１０は、管理者から支給されるものであって、ゴルファーがプレー中に所持可能な小型のもの（例えば、財布等に収納できるカードサイズのものや、ズボン用のベルト又は衣服に装着可能なもの）である。また、識別情報格納デバイス１０の応答信号は、個々の識別情報格納デバイス１０特有の電磁波で、第１及び第２監視カメラ２ａ，２ｂの作動制御のほか、個々の識別情報格納デバイス１０を特定することが可能な信号であることが望ましい。また、識別情報格納デバイス１０を支給する「管理者」は、本システム１の管理者であって、例えばゴルフ場支配人、保険会社、システム管理会社などを挙げることができる。
【００２４】
カップイン検知手段８は、グリーン２５上のカップ２６内に設けられ、ゴルフボールがカップインしたことを検知すると共に当該検知結果を制御手段５に送信するようになっている。カップイン検知手段８の具体例としては、カップ２６の内壁下部に嵌装した近接センサやカップ２６の底部に設置した重量センサ、或いは第２監視カメラ２ｂで撮影した映像の画像変化からカップインを検知するコンピュータプログラムなどが挙げられる。
【００２５】
制御手段５は、検知手段３の検知結果に基づいて第１及び第２監視カメラ２ａ，２ｂ等の作動開始信号を送信するほか、検知手段３の検知結果及びカップイン検知手段８の検知結果に基づくホールインワンの判定機能を有する。すなわち、ゴルファーがティーグラウンド２２に進入してから所定期間（例えば５分）内にカップイン検知手段８の検知結果が得られることに基づきホールインワンが達成された旨の判定を行なう。また、制御手段５は、ホールインワンの判定結果に基づき顔貌識別手段９に作動開始信号を送信する。
【００２６】
顔貌識別手段９は、識別情報格納デバイス１０の所有者の顔貌に関する情報を予め記憶しておく記憶手段１１と、識別情報格納デバイス１０から検知手段３及び制御手段５を介して受信した前記応答信号に基づいて記憶手段１１に格納されている多数のゴルファーの顔貌に関する情報のうち検知手段３が検知した識別情報格納デバイス１０の所有者の顔貌に関する情報を抽出する第１抽出手段１２と、ホールインワンを達成したゴルファーの顔貌に関する情報を録画手段６が記録した映像から抽出する第２抽出手段１３と、第１及び第２抽出手段１２，１３の抽出結果を照合する照合手段１４とで構成され、ホールインワンを達成したゴルファーと識別情報格納デバイス１０の真の所有者とが同一人物であるか否かを確認する本人確認を自動的に行なうようになっている。
【００２７】
記憶手段１１の具体例としては、コンピュータ４に内蔵又は外付けされたハードディスクドライブ、ＣＤ−ＲＯＭ又はＤＶＤ−ＲＯＭなどの記憶媒体であって、ゴルファーの顔貌に関する情報として正面及び左右側面の顔写真をスキャナで読込んだものや、ゴルファーの顔を多方向から撮影した映像などを記憶している。また、第１及び第２抽出手段１２，１３は、夫々ゴルファーの顔貌に関する情報を抽出するコンピュータプログラムである。
【００２８】
照合手段１４は、第１及び第２抽出手段１２，１３が抽出したゴルファーの顔貌に関する夫々の情報に基づいて当該ゴルファーの顔貌についての特徴（例えば、顔の輪郭や、目、耳、口及び鼻の位置関係）を解析すると共に当該解析結果を比較して夫々の情報の共通度を判定するコンピュータプログラムである。
【００２９】
また、録画手段６の映像や、記憶手段１１に格納されている情報、照合手段１４の判定結果は、コンピュータ４に接続されたモニタ（図示略）に出力できるようになっている。
【００３０】
第２実施形態のホールインワン認証システムは、上記の如く構成され、個人情報格納デバイス１０を所持したゴルファーがティーグラウンド２２に進入すると、自動的にティーショット及びティーショットでのカップインを撮影した映像を記録するようになっている。さらに、検知手段３がティーグラウンド２２へのゴルファーの進入を検知してからカップイン検知手段８の検知結果が得られるまでに要した期間が所定期間以内であることを条件に、上記映像から得られるホールインワンを達成者の顔貌に関する情報と予め記憶手段に記憶されている識別情報格納デバイス１０の所有者の顔貌に関する情報とを照合して両者が同一人物であることを自動的に確認するようになっている。このようにホールインワンの達成シーンを映像データとして記録することで、ホールインワンの達成を証明することができ、さらにホールインワンの達成者の本人確認を行なうようにしたので、当該映像データの証拠能力を高めることができる。また、ゴルファーが機械操作等をする必要がないから、プレーを遅延させることなく、映像データを記録することができる。
【００３１】
以上、本発明の実施形態につき説明したが、本発明は前記実施形態に限定されることなく種々の変形が可能であって、例えば、顔貌識別手段９は、自動的に作動するものに限らず、例えばゴルファーの請求により管理者等が手動で操作する端末装置であってもよい。
【００３２】
また、第２抽出手段１４として指紋認識装置又はその他掌紋、声紋、虹彩、ＤＮＡなどの認識装置（いずれも図示を省略する。）を使用してもよい。かかる場合には、前記認識装置をショートホール２１のティーグラウンド２２又はグリーン２５近傍に設置して、前記認識装置等の認識結果及び録画手段７の映像からゴルファーの本人確認を行なうことができる。また、前記認識装置をゴルフ場に設置してゴルファー本人が手動で本人確認を行なう場合には、検知手段３及びカップイン検知手段８の検知結果に基づいてホールインワンが達成されたことをゴルファーに報知する報知手段（図示略）を設けることが望ましい。さらに前記認識装置に設けたモニタに録画手段７の映像を出力してゴルファー本人がカップインの瞬間を確認できるようにすると、ホールインワンの感動を高めることができる。
【００３３】
また、記憶手段１１は、コンピュータ４に設けたものに限らず、識別情報格納デバイス１０に内蔵したものであってもよい。かかる場合には、記憶手段１１に識別情報格納デバイス１０の所有者本人の生体的特徴を記憶させておき、当該所有者本人の生体的特徴を検知手段３で検出すると共に当該検出結果と指紋等の認識装置の認識結果とを照合して本人確認を行なうことができる。
【００３４】
また、コンピュータ４は１台に限らず複数台で構成してもよく、例えば管理会社等に設置したホストコンピュータ（図示略）と、ゴルフ場に設置した端末コンピュータ（図示略）とを電気通信回線を通じて接続するようにしてもよい。かかる場合には、前記ホストコンピュータに録画手段７及び顔貌識別手段９を、前記端末コンピュータに制御手段７及び同期手段８を配し、前記各コンピュータに機能を分担させることで、本システム１の導入・撤廃を容易に行なえるようになり、しかも前記各コンピュータの負担が軽減するので、情報処理速度を向上させることができる。
【００３５】
また、録画手段６は、上記のようにコンピュータ４内蔵のものに限らず、ビデオレコーダやハードディスクレコーダでもよい。
【００３６】
また、本システムは、保険会社等によるホールインワンの検証を行なうための使用に限らず、ゴルフ場のサービスの一環として使用することもできる。すなわち、ホールインワンの達成は、ゴルファーにとって記念すべき出来事であるから、上記の映像データをビデオテープ、ＣＤ−ＲＯＭ、ＤＶＤ−ＲＯＭなどの記憶媒体に焼増して当該ゴルファーに贈呈することなども考えられる。
【００３７】
【発明の効果】
本発明は前述の如く、ゴルフ場において、ゴルファーのプレーを監視カメラで撮影した映像に基づいてホールインワンの達成を認証することができ、しかも検知手段の検知結果に基づいて監視カメラ及び録画手段を作動させるようにしたので、監視カメラ及び録画手段を常時作動させる必要がなく、システムの維持費を抑制することができる。さらに、検知手段がゴルファーの所持する識別情報格納デバイスを検知して、ゴルファーのティーグラウンドへの進入を検知するようにしたので、例えばゴルフ場の従業員や小動物など、識別情報格納デバイスを所持していないものがティーグラウンドに侵入して監視カメラ等が作動するのを防止することができる。
【００３８】
また、ティーグラウンドを視界に持つ第１監視カメラ及びグリーンを視界に持つ第２監視カメラを設置することで、ティーショットの映像及びカップインの映像を明確にすることができ、さらに各監視カメラの動作を同期させることで、ティーショットからカップインまでに要した時間を特定することができるので、ホールインワンの達成を事後確認することができる。
【００３９】
また、ゴルファー識別手段でもって、ホールインワンを達成したゴルファーの本人確認を行なうことで、録画手段が記録しているホールインワンの達成映像の信用性を高めることができる。
【図面の簡単な説明】
【図１】本発明を適用したショートホールを例示する平面図である。
【図２】第１実施形態のホールインワン認証システムを例示するブロック図である。
【図３】第２実施形態のホールインワン認証システムを例示するブロック図である。
【図４】（Ａ）は検知手段の設置例を示す平面図で、（Ｂ）はＸ−Ｘ線から見た側面図である。
【符号の説明】
１．ホールインワン認証システム
２ａ，２ｂ．監視カメラ
３．検知手段
５．制御手段
６．同期手段
７．録画手段
９．顔貌識別手段
１０．識別情報格納デバイス
【図１】
2004046648.tif 000003
【図２】
2004046648.tif 000004
【図３】
2004046648.tif 000005
【図４】
2004046648.tif 000006